(57)【要約】【課題】  弾性部材とグリップ部材とが容易に外れない。【解決手段】  クリック部材２０とバネ３０は、筒部１６、フック１８、露出口２８が形成された筐体１２のみに取付けることで組立が可能であり作業性が良い。このため、組立作業中にクリック部材２０とバネ３０とが外れて紛失しない。また、組立後に何らかの理由でレンズバリア１４を外しても、或いはレンズバリア１４が外れても、クリック部材２０とバネ３０とが外れて紛失することはない。【選択図】        図１
2005141113.tif 000002
【特許請求の範囲】
【請求項１】
先端側が幅狭のクリック部材と、
前記クリック部材を付勢する弾性部材と、
前記クリック部材と前記弾性部材とが収まる筒部と、前記弾性部材を前記筒部に固定する固定部と、前記筒部の一方の開口に形成され前記弾性部材に付勢された前記クリック部材の先端部のみが露出可能な露出口と、で構成された筐体と、
前記筐体上をスライドし、前記露出口から露出した前記クリック部材の先端部が係合する係合部が形成されたスライド部材と、
を備えることを特徴とするクリック機構。
【請求項２】
前記クリック部材は、前記露出口に係止されるフランジを有することを特徴とする請求項１に記載のクリック機構。
【請求項３】
前記弾性部材はバネであり、前記バネの一端側が前記固定部に固定され、他端側が前記クリック部材に当接していることを特徴とする請求項１又は請求項２に記載のクリック機構。
【請求項４】
前記固定部は前記筒部の近傍の前記筐体に形成されたフックであり、前記バネの一端側の端部が延出した延出部が前記フックに係り、該バネを固定することを特徴とする請求項３に記載のクリック機構。
【請求項５】
前記固定部は前記筒部の端部に形成されたフックであり、前記バネの一端側の端部が延出した延出部が前記フックに係り、該バネを固定することを特徴とする請求項３に記載のクリック機構。
【請求項６】
前記固定部は前記筒部に形成された溝であり、前記バネの一端側の端部から延出する延出部が前記溝に係り、該バネを固定することを特徴とする請求項３に記載のクリック機構。
【請求項７】
請求項１から請求項６のいずれかに記載のクリック機構を備えることを特徴とするカメラ。
【発明の詳細な説明】
【技術分野】
【０００１】
本発明は、クリック機構及びこのクリック機構を備えるカメラに関する。
【背景技術】
【０００２】
従来、各種装置において、スライド部材の位置決めを行うと共に操作感を向上させるために、いわゆるクリック機構が広く用いられている。
【０００３】
図９に示すように、従来のクリック機構２００は、筐体２１０に筒部２２０が形成され、この筒部２２０にバネ２４０とクリック部材２３０とが保持されている。クリック部材２３０はバネ２４０内に差し込まれる支柱部２３２と先端部が球形状の頭部２３４とで構成されている。
【０００４】
バネ２４０は、筒部２２０の下部に取付けられたバネ押え部材２５０の凹部２５０Ａに嵌め込まれて固定され、クリック部材２３０を上方に付勢してる。筒部２２０の上部には露出口２７０が形成されており、バネ２４０で付勢されたクリック部材２３０の頭部２３４の先端部分が露出口２７０から露出する。
【０００５】
露出した頭部２３４は、筐体２１０上をＸ方向にスライドするスライド部材２６０に形成された凹部２８０に係合し位置決めすると共にクリック感（操作感）が得られるようになっている。
【０００６】
このような構成のクリック機構２００の組立方法は、スライド部材２６０又はバネ押え部材２５０のいずれかを取付け後、筒部２２０にバネ２４０とクリック部材２３０とを収容し、そして、スライド部材２６０又はバネ押え部材２５０を取付ける。
【０００７】
しかし、このような組立方法は、スライド部材２６０とバネ押え部材２５０の両方が取り付けられるまで、バネ２４０とクリック部材２３０とが固定されない。このため、組立作業中にバネ２４０、クリック部材２３０を落としてしまいやすく、組立作業性が悪かった。特にバネ２４０、クリック部材２３０が非常に小さい場合、一旦外れてしまうと紛失しやすく、探すのが困難であった。
【０００８】
さらに、組立後に何らかの理由で、スライド部材２６０、バネ押え部材２５０を外すと（或いは、外れると）、バネ２４０及びクリック部材２３０も筒部２２０から外れてしまっていた。
【０００９】
また、バネ押え部材２５０が他の部材と一体となって形成されている場合、組立後、他の部材を外すとバネ押え部材２５０も外れることになり、バネ２４０及びクリック部材２３０も筒部２２０から外れてしまう。
【００１０】
さて、作業性を向上するため、以下のような構成のクリック機構が提案されている。
【００１１】
一方（スライド部材側）のみが開口した円筒形の保持室にバネとボール部材とが保持され、この保持室の他方の底面にはバネを固定するため底面から突設した凸状の固定部が形成されている。さらに、保持室の側面部には挿入用開口部が形成されている。
【００１２】
このような構成とすることで、スライド部材を固定した後、側面部の挿入用開口部からボールとバネとを挿入することで組立を可能とし作業性を向上させている。また、保持部の底面に突設された固定部にバネの一端を固定し、バネが挿入用開口部から容易に飛び出さないようにしている。
【００１３】
さらに、固定部は型抜き方向に突設されるように形成するとともに、底面を半円形状に切り欠いて挿入用開口部を形成する構成とし、保持室の成形時の金型の移動を妨げないようにしている。（例えば、特許文献１参照）。
【特許文献１】特開平１１−３３８５７０号公報
【発明の開示】
【発明が解決しようとする課題】
【００１４】
しかしながら、特開平１１−３３８５７０号公報に記載の構成でも、スライド部材を外すと（或いは、外れると）、やはりボールが外れて保持室の開口から出てしまう。また、バネも底面から突設した固定部で固定されているだけなので、開口方向には容易に移動する。したがって、バネも保持室の開口から出てしまう。
【００１５】
なお、保持室の開口をボールの直径より狭く、すなわち保持室の内径より開口を小さくすればボールが開口から出ないが、保持室の内径より開口を小さくすると、底面側方向及び開口側方向のいずれの方向にも金型が抜けなくなり成形できない。このため、側面部に挿入開口部が形成されたものでは、開口をボールの直径より狭くする構成は現実的でない。
【００１６】
本発明は、上記問題を解決すべく成されたもので、弾性部材とグリップ部材とが容易に外れないことを目的とする。
【課題を解決するための手段】
【００１７】
請求項１に記載のクリック機構は、先端側が幅狭のクリック部材と、前記クリック部材を付勢する弾性部材と、前記クリック部材と前記弾性部材とが収まる筒部と、前記弾性部材を前記筒部に固定する固定部と、前記筒部の一方の開口に形成され前記弾性部材に付勢された前記クリック部材の先端部のみが露出可能な露出口と、で構成された筐体と、前記筐体上をスライドし、前記露出口から露出した前記クリック部材の先端部が係合する係合部が形成されたスライド部材と、を備えることを特徴としている。
【００１８】
請求項１に記載のクリック機構は、筒部、固定部、露出口で筐体が構成され、クリック部材と弾性部材とが筒部に収容されている。弾性部材は固定部によって固定され、弾性部材に付勢されたクリック部材の先端部のみが露出口から露出している。
【００１９】
そして、スライド部材が筐体上をスライドし、スライド部材に形成された係合部に、露出口から露出したクリック部材の先端部が係合することで、スライド部材が位置決めされると共にクリック感（操作感）が得られる。
【００２０】
クリック部材と弾性部材とは、筒部、固定部、露出口で構成された筐体のみに取付けることで組立が可能である。このため、組立作業中に弾性部材とクリック部材を落として紛失することがない。したがって、組立作業性の良いクリック機構となっている。また、組立後、スライド部材を外してもクリック部材と弾性部材は容易に外れない。
【００２１】
さらに、筒部の両側は開口されているため、露出口（一方の開口）を狭くしても型抜きが容易である。
【００２２】
請求項２に記載のクリック機構は、請求項１に記載の構成において、前記クリック部材は、前記露出口に係止されるフランジを有することを特徴としている。
【００２３】
請求項２に記載のクリック機構は、クリック部材は、露出口に係止されるフランジを有している。このため、クリック部材が露出口に確実に安定して係止される。
【００２４】
請求項３に記載のクリック機構は、請求項１又は請求項２に記載の構成において、前記弾性部材はバネであり、前記バネの一端側が前記固定部に固定され、他端側が前記クリック部材に当接していることを特徴としている。
【００２５】
請求項３に記載のクリック機構は、バネの一端側が固定部に固定され、他端側がクリック部材に当接することで、クリック部材を付勢し先端部のみが露出口から露出する。このような構成とすることで、請求項１又は請求項２と同様の作用を奏す。
【００２６】
請求項４に記載のクリック機構は、請求項３に記載の構成において、前記固定部は前記筒部の近傍の前記筐体に形成されたフックであり、前記バネの一端側の端部が延出した延出部が前記フックに係り、該バネを固定することを特徴としている。
【００２７】
請求項４に記載のクリック機構は、筒部の近傍の筐体に形成されたフックに、バネの一端側の端部が延出した延出部が係ってバネを固定している。そして、バネの他端側がクリック部材に当接することで、クリック部材を付勢し先端部のみが露出口から露出する。このような構成とすることで、請求項３と同様の作用を奏す。
【００２８】
請求項５に記載のクリック機構は、請求項３に記載の構成において、前記固定部は前記筒部の端部に形成されたフックであり、前記バネの一端側の端部が延出した延出部が前記フックに係り、該バネを固定することを特徴としている。
【００２９】
請求項５に記載のクリック機構は、筒部の端部に形成されたフックにバネの一端側の端部が延出した延出部が係ってバネを固定している。そして、バネの他端側がクリック部材に当接することで、クリック部材を付勢し先端部のみが露出口から露出する。このような構成とすることで、請求項３と同様の作用を奏す
また、バネを固定するフックが筒部の端部に形成されているので構成が簡単であり、成形しやすい。
【００３０】
請求項６に記載のクリック機構は、請求項３に記載の構成において、前記固定部は前記筒部に形成された溝であり、前記バネの一端側の端部から延出する延出部が前記溝に係り、該バネを固定することを特徴としている。
【００３１】
請求項６に記載のクリック機構は、筒部に形成された溝にバネの一端側の端部から延出する延出部が係ってバネを固定している。そして、バネの他端側がクリック部材に当接することで、クリック部材を付勢し先端部のみが露出口から露出する。このような構成とすることで請求項３と同様の作用を奏す。
【００３２】
また、バネを固定する溝部が筒部に形成されているので構成が簡単であり、成形しやすい。
【００３３】
請求項７に記載のカメラは、請求項１から請求項６のいずれかに記載のクリック機構を備えることを特徴とするしている。
【００３４】
請求項７に記載のカメラは、請求項１から請求項６のいずれかに記載のクリック機構を備えている。例えば、いわゆる高級機種でないコンパクトタイプのカメラは、小型軽量で薄型とするため、クリック機構も小さな機構となる。小さなクリック機構の場合、弾性体やクリック部材も小さくなる。このため組立作業性も低下し、また弾性体やクリック部材が外れて紛失すると探すのが非常に困難である。
【００３５】
しかし、請求項１から請求項６のいずれかに記載のクリック機構は、組立作業性が良く、また組立後、弾性体やクリック部材が容易に外れないので紛失しにくい。したがって、請求項１から請求項６のいずれかに記載のクリック機構をカメラに備えることは好適である。
【発明の効果】
【００３６】
以上説明したように本発明によれば、弾性部材とグリップ部材とが容易に外れないという効果がある。
【発明を実施するための最良の形態】
【００３７】
以下、図面を参照して本発明のクリック機構の実施形態について説明する。本実施形態では、カメラのスライド式レンズバリア機構１０に適用された例について説明する。
【００３８】
図８は、本発明に係る第１の実施形態のスライド式レンズバリア機構１０を備えたカメラ１００を示している。カメラ１００は略箱状の筐体１２を備えている。筐体１２の上面部にはレリーズボタン１０８が設けられている。また、前面部には、撮影用レンズ１０６、ストロボ１０２、ファインダー１０４等の部材が設けられている。さらに、筐体１２の正面部にはレンズバリア１４がスライド可能に取付けられている。
【００３９】
レンズバリア１４は、撮影を行っていないときには、図８（Ａ）に示すように、撮影用レンズ１０６の外部側表面を覆い隠すことにより撮影用レンズ１０６を保護している。（全閉時）。しかし、撮影を行う際には、図８（Ｂ）に示すように、矢印Ｘ方向にレンズバリア１４をスライドさせることで、撮影用レンズ１０６が表れる。（全開時）。
【００４０】
このように筐体１２上をレンズバリア１４がスライドする機構をスライド式レンズバリア機構１０とする。
【００４１】
次に、スライド式レンズバリア機構１０についての詳細を、図１及び図２を参照して説明する。なお、図１は図８（Ａ）のＡ−Ａ断面の○部Ｋを示す断面図であり、図２は図８（Ａ）の○部Ｋをカメラ１００の筐体１２の内部から見た斜視図である。
【００４２】
また、下記説明で上下左右と表現している場合は、図１中での上下左右を意味しており、カメラ１００の上下左右を意味するものではない。
【００４３】
図１及び図２に示すように、筐体１２は上下が開口した円筒状の筒部１６が形成されている。筒部１６の一方の開口側（図１では上方側）には、筒部１６の内径より小さな内径の露出口２８が形成されている。なお、筐体１２の露出口２８は筒部１６の内径より小さいが、特開平１１−３３８５７０号公報に記載の構成と異なり、筒部１６の下部が開口しているので、下方にも金型を抜くことができる。このため容易に筒部１６を金型成形できる。
【００４４】
筒部１６の近傍の筐体１２には、フック１８が形成されている。フック１８は、筒部１６と平行に立設され、フック１８の先端部分には鉤部１８Ａが形成されている。（図２参照）。
【００４５】
筒部１６内には、バネ３０とクリック部材２０とが収まっている。
【００４６】
バネ３０の一端側は延出部３０Ａが延出し、延出部３０Ａはフック１８の鉤部１８Ａに引掛けられている。（図２参照）。なお、鍵部１８Ａの先端１８Ｂは筒部１６の下端１６Ａ（他方（下方）の開口面）の上方にある。（図１参照）。このため、延出部３０Ａは鉤部１８Ａから容易に外れない。
【００４７】
さらに、フック下端１８Ｃは筒部１６の下端１６Ａ（他方（下方）の開口面）より僅かに下方に位置する構成となっている。（図１参照）。したがって、スライド式レンズバリア機構１０はＹ方向に薄くなっている。
【００４８】
クリック部材２０は、バネ３０内に差し込まれる支柱部２２を備えている。
【００４９】
この支柱部２２の上部にはフランジ２４を備えている。フランジ２４は、バネ３０の外径より大きく、筒部１６の内径より僅かに小さい。また、露出口２８の内径より大きな直径となっている。
【００５０】
更に、フランジ２４の上部には、露出口２８の内径より直径が小さく、先端部（上部）が半球状をした頭部２６を備えている。
【００５１】
そして、バネ３０の他端側がフランジ２４に当接しクリック部材２０を付勢している。バネ３０に付勢されたクリック部材２０は、フランジ２４が露出口２８に係止され、頭部２６のみが筐体１２外に露出している。（図１参照）。
【００５２】
図１及び図８に示すように、筐体１２上には、図示しないスライド機構にレンズバリア１４が取付けられている。したがって、筐体１２上をレンズバリア１４はＸ方向にスライド可能となっている。
【００５３】
図１に示すように、レンズバリア１４には、クリック部材２０の頭部２６が係合する凹部３２が形成されている。レンズバリア１４が筐体１２上をＸ方向にスライドすることで、クリック部材２０が上下動（Ｙ方向）し、頭部２６が凹部３２に係合したり、頭部２６が凹部３２から外れたりする。クリック部材２０の頭部２６が凹部３２と係合するとレンズバリア１４が位置決めされると共にクリック感（操作感）が得られるようになっている。
【００５４】
クリック部材２０が上下動する際、フランジ２４の直径は筒部１６の内径より僅かに小さいのでフランジ２４が筒部１６の内壁に沿う。このため、クリック部材２０は筒部１６内を左右に傾くことなく上下動する。さらに、支柱部２２がバネ３０内に差し込まれており、バネ３０はＹ方向のみに伸縮し左右にぶれない。したがって、クリック部材２０はスムーズに上下動する。
【００５５】
なお、図１及び図２では図示していないが、凹部３２は、図８（Ａ）の全閉時の位置と図８（Ｂ）の全開時の位置とで、それぞれ位置決めされる位置に２箇所形成されている。したがって、図８（Ａ）の全閉時の位置と図８（Ｂ）の全開時の位置とで、それぞれ位置決めされるとともにクリック感（操作感）が得られるようになっている。
【００５６】
次に、スライド式レンズバリア機構１０の組立方法について説明する。
【００５７】
まず、クリック部材２０を筒部１６の他方（下方）の開口から挿入する。クリック部材２０のフランジ２４の直径は筒部１６の内径より僅かに小さいので、フランジ２４が筒部１６の内壁に沿って挿入できる。したがって、クリック部材２０が筒部１６内で傾いて引っかかり、挿入できなくなることがない。
【００５８】
また、フランジ２４は露出口２８の内径より大きな直径となっているので露出口２８に係止され、頭部２６のみが露出口２８から露出する。
【００５９】
次にバネ３０の他端側を筒部１６の他方の開口から挿入する。また、クリック部材２０の支柱部２２をバネ３０内に差し込むようにする。
【００６０】
そして、バネ３０の一端側の延出部３０Ａをフック１８の鉤部１８Ａに引っかけて、バネ３０を固定する。
【００６１】
最後にレンズバリア１４をスライド機構に取り付ける。
【００６２】
次に、本実施形態のスライド式レンズバリア機構１０についての作用を説明する。
【００６３】
いままで、説明したように、クリック部材２０とバネ３０は、筒部１６、フック１８、露出口２８が形成された筐体１２のみに取付けることで組立が可能であり、作業性が良い。このため、組立作業中にクリック部材２０とバネ３０とが外れて紛失しない。
【００６４】
また、組立後に何らかの理由でレンズバリア１４を外しても、或いはレンズバリア１４が外れても、クリック部材２０とバネ３０が外れて紛失することはない。
【００６５】
特に近年、いわゆる高級機種でないコンパクトタイプのカメラは、より小型軽量で薄型となっている。このためスライド式レンズバリア機構１０の筒部１６、フック１８などは小さくなり、このため、クリック部材２０とバネ３０も小さくなっている。
【００６６】
しかし、小さな、筒部１６、フック１８、クリック部材２０、バネ３０であっても、上述したように、本実施形態のスライド式レンズバリア機構１０は、組立作業性が良く、また組立後クリック部材２０とバネ３０とが容易に外れて紛失することはない。したがって、本実施形態のスライド式レンズバリア機構１０を備えることは好適である。
【００６７】
さらに、特に本実施形態のように、フック下端１８Ｃを筒部１６の下端１６Ａより僅かに下方に位置する構成とすることで、クリック機構１０を薄くできるので、カメラの薄型化に対してより好適である。
【００６８】
次に、本発明に係る第２の実施形態のスライド式レンズバリア機構５０について、図３及び図４を参照して説明する。なお、第１の実施形態で説明した部材には同一の符号を付し、重複する説明は省略する。
【００６９】
図３及び図４に示すように、筐体１２には筒部５６が形成され、筒部５６の下端部にフック５８が形成されている。フック５８には鉤部５８Ａが形成されている。（図４参照）。そして、バネ３０の一端側の延出部３０Ａがフック５８の鉤部５８Ａに引掛けられ固定されている。（図３参照）。
【００７０】
次に、本実施形態のスライド式レンズバリア機構５０についての作用を説明する。
【００７１】
クリック部材２０とバネ３０は、フック５８が形成された筒部５６と露出口２８とが形成された筐体１２のみに取付けることで組立が可能であり、第１の実施形態と同様の作用を奏す。また、フック５８（鉤部５８Ａ）は筒部５６に形成されているので、構造が簡単である。
【００７２】
次に、本発明に係る第３の実施形態のスライド式レンズバリア機構６０について、図５を参照して説明する。なお、第１及び第２の実施形態で説明した部材には同一の符号を付し、重複する説明は省略する。
【００７３】
図５に示すように、筐体１２には筒部６６が形成され、筒部６６の下側の側壁には鉤溝６６Ａが形成されている。そして、バネ３０の一端側の延出部３０Ａが鉤溝６６Ａに引掛けられ固定されている。
【００７４】
次に、本実施形態のスライド式レンズバリア機構６０についての作用を説明する。
【００７５】
クリック部材２０とバネ３０は、鉤溝６６Ａが形成された筒部６６と露出口２８とが形成された筐体１２のみに取付けることで組立が可能であり、第１の実施形態と同様の作用を奏す。また、鉤溝６６Ａは筒部６６の側壁に形成されているので、構造が簡単である。
【００７６】
尚、本発明は、上記の実施の形態に限定されるものではない。
【００７７】
例えば、本実施形態では、クリック部材２０は、図１に示すように、支柱部２２、フランジ２４、頭部２６から構成されていたが、これに限定されない。クリック部材は筒部に収まり、先端側が幅狭で先端部のみが露出口から露出可能な形状であれば良い。
【００７８】
例えば、図６に示すような、先端部が球状をし、下部が露出口２８より幅広となった円錐状の頭部７６と支柱部２２とで構成されるクリック部材７０であっても良い。クリック部材７０はフランジがない分、形状が簡単であるので低コストで成形できる。
【００７９】
あるいは、例えば、図７に示すような、露出口２８より幅広の直径の球形のクリックボール８０であってもよい。クリックボール８０はフランジと支柱部がない分、形状がより簡単であるので、より低コストで成形できる。
【００８０】
また、本実施形態では、弾性部材はバネ３０であったが、これに限定されない。例えば、板バネであってもよい。
【００８１】
また、本実施形態では、カメラのスライド式レンズバリア機構に適用された例について説明したが、これに限定されない。カメラのその他の機構に適用しても良い。或いは、カメラ以外の機器に適用しても良い。
【図面の簡単な説明】
【００８２】
【図１】本発明の第１の実施形態に係るスライド式レンズバリア機構を示す断面図である。
【図２】本発明の第１の実施形態に係るスライド式レンズバリア機構を示す斜視図である。
【図３】本発明の第２の実施形態に係るスライド式レンズバリア機構を示す断面図である。
【図４】本発明の第２の実施形態に係るスライド式レンズバリア機構を示す斜視図である。
【図５】本発明の第３の実施形態に係るスライド式レンズバリア機構を示す斜視図である。
【図６】本発明のその他の実施形態に係るスライド式レンズバリア機構を示す断面図である。
【図７】本発明のその他の実施形態に係るスライド式レンズバリア機構を示す断面図である。
【図８】本発明の第１の実施形態に係るスライド式レンズバリア機構を備えるカメラを示し、（Ａ）はレンズバリアが全閉時の状態の図であり、（Ｂ）はレンズバリアが全開時の状態の図である。
【図９】従来のクリック機構を示す断面図である。
【符号の説明】
【００８３】
１０      スライド式レンズバリア機構（クリック機構）
１２      筐体
１４      レンズバリア（スライド部材）
１６      筒部
１８      フック
２０      クリック部材
２４      フランジ
２８      露出口
３０      バネ（弾性部材）
３０Ａ    延出部
３２      凹部（係合部）
５８      フック
６６Ａ    鉤溝（溝）
１００      カメラ
【図１】
2005141113.tif 000003
【図２】
2005141113.tif 000004
【図３】
2005141113.tif 000005
【図４】
2005141113.tif 000006
【図５】
2005141113.tif 000007
【図６】
2005141113.tif 000008
【図７】
2005141113.tif 000009
【図８】
2005141113.tif 000010
【図９】
2005141113.tif 000011